(57)【要約】【課題】映像再生装置２と、オーディオ再生装置４と、映像表示装置８と、映像再生装置２及びオーディオ再生装置４から出力されたオーディオ信号を受け音声に変換して出力する複数のスピーカ１６を備えたオーディオ出力装置からなる車載オーディオビデオ機器の各スピーカ１６へのオーディオ信号の供給態様を音源の種類に応じて設定された通りに自動的に切り換えることができるようにする。【解決手段】オーディオ信号の各スピーカへ１６の供給態様の制御をする供給態様制御装置１２と、音源とそれに対応する各スピーカ１６へのオーディオ信号の供給態様との関係を記憶する記憶手段２０と、再生する音源を認識し、その音源に対応する各スピーカ１６へのオーディオ信号の供給態様を記憶手段２０から読み出し、その通りに供給態様制御装置１２を制御する制御部（システム制御装置）１８を有する。【選択図】　　　　図２
2004096515.tif 000002
【特許請求の範囲】
【請求項１】
少なくとも一つの映像再生装置と、少なくとも一つのオーディオ再生装置と、上記映像再生装置から出力された映像信号を表示する映像表示装置と、上記映像再生装置及び上記オーディオ再生装置から出力されたオーディオ信号を受け複数のスピーカにて音声に変換して出力するオーディオ出力装置を備えた車載オーディオビデオ機器の各チャンネルのオーディオ出力信号を制御するオーディオ出力制御装置であって、
上記映像再生装置及び上記オーディオ再生装置と、上記オーディオ出力装置との間に介在し、上記複数チャンネルのオーディオ出力部各々に対して、その出力信号の供給態様（どのチャンネルのオーディオ信号をどの程度供給するかという態様）に関する制御をする供給態様制御装置と、
上記映像再生装置或いは上記オーディオ再生装置から送出され上記オーディオ出力装置により再生されるオーディオ出力の音源の種類と、その音源の種類に対応して上記供給態様制御装置による上記各スピーカへのオーディオ信号の供給形態を記憶する記憶手段と、
上記オーディオ出力装置により再生されるオーディオ信号の音源の種類を認識し、その種類に対応する上記オーディオ信号の各スピーカへの供給態様を上記記憶手段から読み出し、その読み出した指示通りに上記オーディオ出力制御装置を制御する制御部と、
を有することを特徴とする車載オーディオビデオ機器のオーディオ出力制御装置。
【請求項２】
上記音源の各種類に対応する各スピーカへのオーディオ信号の供給態様が上記記憶手段に予めプリセットされている
ことを特徴とする車載オーディオビデオ機器のオーディオ出力制御装置。
【請求項３】
上記記憶手段は、上記音源の各種類に対する上記各スピーカへのオーディオ信号の供給態様についての書換が可能である
ことを特徴とする請求項１又は２記載の車載オーディオビデオ機器のオーディオ出力制御装置。
【発明の詳細な説明】
【０００１】
【発明の属する技術分野】
本発明は、車載オーディオビデオ機器のオーディオ出力制御装置、特に、少なくとも一つの映像再生装置と、少なくとも一つのオーディオ再生装置と、上記映像再生装置から出力された映像信号を表示する映像表示装置と、上記映像再生装置及び上記オーディオ再生装置から出力されたオーディオ信号を受け複数チャンネルのオーディオ信号を音声に変換して出力する複数のスピーカからなるオーディオ出力装置を備えた車載オーディオビデオ機器の各チャンネルのオーディオ出力信号を制御する車載オーディオビデオ機器のオーディオ出力制御装置に関する。
【０００２】
【従来の技術】
例えば、ＤＶＤ（Ｄｉｇｉｔａｌ　Ｖｅｒｓａｔｉｌｅ　Ｄｉｓｃ）、ＳＡＣＤ（Ｓｕｐｅｒ　Ａｕｄｉｏ　Ｃｏｍｐａｃｔ　Ｄｉｓｃ）の再生が可能なマルチプレーヤシステム等において、例えば５．１チャンネルのＤＶＤの再生時には、フロントＬ（ｌｅｆｔ）、センターフロント、フロントＲ（ｒｉｇｈｔ）、リアＬ、リアＲ、サブウーファの各スピーカから音声が出力される。このような再生システムは、映像表示機或いはスクリーンを前面の中心とし、その上下にセンタースピーカ、その左右にフロントＬスピーカ、フロントＲスピーカ、また、その背後の左右にリアＬスピーカ、リアＲスピーカを配置することが前提として設計等が為されている（但し、サブウーファは指向性がないので位置は比較的自由である。）。従って、例えば家庭等においては、そのように配置してホームシアター等を構成するように使用される場合が多い。というのは、そのように使用されるとそのシステムの性能を充分に活かして映画の音響、演奏その他の音楽等を堪能することが可能であるからである。
【０００３】
しかしながら、自動車に搭載した場合には、上記前提通りの配置が難しい。
即ち、乗用車等の自動車に設けるオーディオ装置は、性能が向上する傾向が強く、最近は、ＤＶＤ、ＳＡＣＤの再生が可能なマルチプレーヤシステムの自動車への装備の要求が強まっているが、乗用車等の内部はホームシアターを設けるような家庭とは音響設備設置環境が全く異なるので、マルチプレーヤシステムが前提とするように配置することが難しいのである。
【０００４】
図６（Ａ）、（Ｂ）は５．１チャンネル対応マルチプレーヤシステムの６個或いは７個のスピーカの自動車内への各別の配置例における平面的位置関係を示す平面図である。同図（Ａ）、（Ｂ）においては、映像表示装置（多くの場合液晶表示装置）は、助手席より後ろで後部座席（左）より前に位置しているように描かれているが、これは映像表示装置をより明確に示すためで、実際は助手席の背もたれの背面上部に位置されている。
【０００５】
この図から明らかなように、映像表示装置を自動車内の横方向における中央に配置することが難しく、左側後部座席（助手席の後ろの後部座席）の前に配置されており、そして、図６（Ａ）に示す例では、センタースピーカ（これは一つしかない）を運転席と助手席の間の後部に配置している。
図６（Ｂ）に示す例では、センタースピーカが二つあり、一つを運転席と助手席の間の後部に、他を助手席の後ろ（左側後部座席の前）に配置している。
【０００６】
尚、それ以外のチャンネルのスピーカについては図６（Ａ）と（Ｂ）に示す例に特に差異はない。具体的には、フロントＬスピーカは、助手席とその後ろの後部座席との間の部分の左側に、フロントＲスピーカは運転席とその後ろの後部座席との間の部分の右側に、それぞれ内側向きに配置され、リアＬスピーカは左の後部座席の後ろ側であって左部分に、リアＲスピーカは右部座席の後ろ側であって右部分に、サブウーファは二つのリアスピーカ（リアＬスピーカとリアＲスピーカ）の中間部にそれぞれ前向きに配置されている。
【０００７】
【発明が解決しようとする課題】
このように、マルチプレーヤシステムが前提としない配置、特に、映像表示装置が音響空間の横方向（前後方向と直行する方向）の真ん中に位置しない配置の場合、音源が映像を伴うケース（例えばＤＶＤ再生）ではセンタースピーカからの音声出力を禁止して、４．１ｃｈでオーディオの再生をするようにすると良いといえる。というのは、映像に対してより自然な音響効果が得られるからである。
従って、そのように、特定のチャンネルの出力を禁止する設定をユーザーが任意に行うことができるようになっていた。
【０００８】
しかし、一旦そのように特定のチャンネルの出力を禁止するようにすると、他の音源に関してもその設定が有効であり、ＤＶＤ再生以外の音源、例えばＳＡＣＤの再生の場合でも、その４．１チャンネルの出力が為されてしまうということになる。これでは、５．１チャンネル対応マルチプレーヤシステムの性能を充分に活かした音楽鑑賞等ができない。
【０００９】
即ち、ＳＡＣＤの再生のときは、映像が関係ないので、音響は映像表示装置の位置との関係を一切考慮する必要はなく、マルチプレーヤシステムの音響に関する性能を最大限活かせるようにすべきであるが、一旦、センタースピーカからの出力を禁止する設定にすると、音源の種類に関係なく、４．１チャンネルで出力されるようになり、マルチプレーヤシステムの音響に関する性能を最大限活かすことができなくなる。勿論、設定を変えれば、各スピーカの出力を禁止するか許容するかに関して変更が可能であるが、設定のし直しは面倒であり、特に運転手が切り換えると安全運転に支障を来すおそれがあった。
【００１０】
本発明はこのような問題点を解決すべく為されたものであり、映像再生装置と、オーディオ再生装置と、上記映像再生装置から出力された映像信号を表示する映像表示装置と、上記映像再生装置及び上記オーディオ再生装置から出力されたオーディオ信号を受け複数チャンネルのオーディオ信号を音声に変換して出力するオーディオ出力装置を備えた車載オーディオビデオ機器の各チャンネルのオーディオ信号の各スピーカへの供給態様を、音源の種類に応じて予め設定された通りに自動的に切り換えることができるようにすることを目的とする。
【００１１】
【課題を解決するための手段】
請求項１の車載オーディオビデオ機器のオーディオ出力制御装置は、車載オーディオビデオ機器の映像再生装置及びオーディオ再生装置とオーディオ出力装置との間に介在し、複数チャンネルのオーディオ信号の各スピーカへの供給態様を制御する供給態様制御装置と、音源（の種類）と、それに対応して該供給態様制御装置による各スピーカへのオーディオ信号の供給態様を記憶する記憶手段と、再生されるオーディオ信号の音源の種類を認識し、その種類に対応する上記各スピーカへのオーディオ信号の供給態様を上記記憶手段から読み出し、その読み出した指示通りに上記供給態様制御装置を制御する制御部と、を有することを特徴とする。
【００１２】
従って、請求項１の車載オーディオビデオ機器のオーディオ出力制御装置によれば、予め、上記記憶手段に、音源の種類と、その種類に対応して上記供給態様制御装置による各スピーカへのオーディオ信号の供給態様について設定しておけば、異なる音源のオーディオ信号が再生される毎に、その音源に対応するものとして上記記憶手段に記憶された供給態様通りに、各スピーカへの各チャンネルのオーディオ信号の供給態様［出力の禁止（どのチャンネルの信号も供給が０という供給態様）、完全許容（スピーカ自身と本来的に対応するチャンネルのオーディオ信号を減衰することなく１００％供給するという供給態様）、特定の一又は複数のチャンネルのオーディオ信号を減衰して又は減衰したものを加算して供給するという供給態様がある。）についての供給態様制御装置への指示の切り換えが為され、その新たな指示が自動的にその供給態様制御装置によって実行される。
依って、音源が切り換わっても各スピーカへのオーディオ信号の供給に関する供給態様に変化が生ぜず、音源の変化に対応出来ないという問題を回避することができる。
【００１３】
【発明の実施の形態】
本発明における音源の種類には、ＤＶＤ、テレビジョン放送の音声、ＳＡＣＤ、ＣＤ、ＦＭ／ＡＭ放送等が挙げられるが、必ずしもそれに限定されるものではない。後述する実施例には存在しないが、例えばカーナビゲーション装置の例えばナレーションによる指示も本発明における音源になり得る。
【００１４】
各スピーカへの供給態様のうち、禁止は完全に当該スピーカについて音声を出力させないようにする場合を指し、許容は当該スピーカに対して本来的に対応するチャンネルのオーディオ信号を減衰させることなく（ここで、減衰は供給態様制御装置での減衰を指す。）出力させる場合を指す。また、或るスピーカについては、或るチャンネルのオーディオ信号を例えば或る割合で減衰させたものと、別のチャンネルのオーディオ信号を例えば或る割合で減衰させたものとを加算して供給するという加算形態もある。例えば、センタースピーカに対してＣＤの右チャンネルと左チャンネルのオーディオ信号を２分の１に減衰させて加算した信号を供給するという供給態様がそれである。このように、供給形態に関しては種々の種類が考えられ得る。
【００１５】
供給態様制御装置への指示をするための音源に対応した供給形態を記憶する記憶手段は、それ専用の記憶装置で構成するようにしても良いが、ＣＰＵ（ＣｅｎｔｒａｌＰｒｏｃｅｓｓｉｎｇ　Ｕｎｉｔ）、ＲＯＭ（Ｒｅａｄ　Ｏｎｌｙ　Ｍｅｍｏｒｙ）等とで制御部を構成するＲＡＭ（Ｒａｎｄｏｍ　Ａｃｃｅｓｓ　Ｍｅｍｏｒｙ）を用いてプログラムにより仮想的に存在する記憶手段でも良い。
【００１６】
【実施例】
以下、本発明を図示実施例に従って詳細に説明する。
図１は本発明車載オーディオビデオ機器のオーディオ出力制御装置の第１の実施例の構成を示す回路ブロック図である。図面において、２は映像再生装置で、ＤＶＤプレーヤ２ａ、ＴＶチューナ２ｂ等を内蔵している。４はオーディオ再生装置で、ＳＡＣＤプレーヤ４ａ、ＣＤプレーヤ４ｂ、ＦＭ／ＡＭチューナ４ｃ等を内蔵している。
【００１７】
６は映像選択装置で、後述するシステム制御装置（１８）により制御されて、映像再生装置２内の複数の映像出力信号のうちの一つを次に述べる映像表示装置（８）に表示させるものとして選択する。８は映像表示装置で、例えば液晶表示素子等からなり、上記映像再生装置２から出力され、上記映像選択装置６で選択された映像出力信号を受け、その信号に基づき映像を表示する。
【００１８】
１０は音源選択装置で、後述するシステム制御装置（１８）により制御されて、上記映像再生装置２から出力された複数種のオーディオ信号と、上記オーディオ再生装置４から出力された複数種の音源のオーディオ信号のうちの一つを選び、次に述べる供給態様制御装置（１２）に送る。
１２は音源選択装置１０により選択された音源の種類に応じて、各チャンネルのオーディオ信号を、後述する各スピーカ１６ｃ、１６ｆｌ、１６ｆｒ、１６ｒｌ、１６ｒｒ、１６ｓｗ毎に、システム制御装置１８に指定されたとおりの態様で供給する供給態様制御装置である。
【００１９】
１４は供給態様制御装置１２から出力されたオーディオ信号を再生するオーディオ出力装置であり、本例では６個のスピーカ１６ｃ、１６ｆｌ、１６ｆｒ、１６ｒｌ、１６ｒｒ、１６ｓｗからなる。１６ｃはセンタースピーカ、１６ｆｌはフロントＬスピーカ、１６ｆｒはフロントＲスピーカ、１６ｒｌはリアＬスピーカ、１６ｒｒはリアＲスピーカ、１６ｓｗはサブウーファであり、供給態様制御装置１２によりオーディオ信号の各スピーカ１６への供給態様が互いに独立して各別に制御される。
【００２０】
１８はシステム制御装置であり、ＣＰＵ、ＲＯＭ、ＲＡＭ等からなり、本車載オーディオビデオ機器全体を制御する。２０は記憶装置で、各音源の種類毎の各スピーカ１６ｃ、１６ｆｌ、１６ｆｒ、１６ｒｌ、１６ｒｒ、１６ｓｗへのオーディオ信号の供給態様についての表（ｔａｂｌｅ）を記憶する。２２はユーザー、ドライバ等が操作することによって本車載オーディオビデオ機器への指示を入力する操作部であり、複数のスイッチ、ボタン等の入力手段からなる。
【００２１】
図１に示す車載オーディオビデオ機器は、そのオーディオ出力装置１４を構成する各スピーカ１６ｃ、１６ｆｌ、１６ｆｒ、１６ｒｌ、１６ｒｒ、１６ｓｗを、例えば図６（Ａ）に示すように配置する。即ち、センタースピーカ１６ｃを運転席と助手席の間の後部に後ろ向きに配置し、フロントＬスピーカ１６ｆｌは、助手席とその後ろの後部座席との間の部分の左側に、フロントＲスピーカ１６ｆｒは運転席とその後ろの後部座席との間の部分の右側にそれぞれ内側向きに配置し、リアＬスピーカ１６ｒｌは左の後部座席の後ろ側であって左部分に、リアＲスピーカ１６ｒｒは右部座席の後ろ側であって右部分に、サブウーファ１６ｓｗは二つのリアスピーカ（リアＬスピーカとリアＲスピーカ）の中間部にそれぞれ前向きに配置するのである。
【００２２】
図２は上記記憶装置２０により記憶された各音源の種類毎の各スピーカ１６ｃ、１６ｆｌ、１６ｆｒ、１６ｒｌ、１６ｒｒ、１６ｓｗへのオーディオ信号の供給に関する制御についての表の一例を示すものである。
この表においては、各行が音源の種類に対応し、各列が各スピーカに対応している。
先ず、音源がＤＶＤ５．１ｃｈの場合について説明すると、この音源は５．１ｃｈのオーディオ信号が映像再生装置２から音源選択装置１０を経て供給態様制御装置１２に送られてくる。この場合、映像表示装置８の位置とスピーカ１６ｃの位置がずれているので、不自然な音響効果が生じないように、センタースピーカ１６ｃにはオーディオ信号を供給しない。即ち、センタースピーカ１６ｃからの音響の出力を禁止するのである。この出力を禁止することを表では×で表現した。
【００２３】
そして、このセンターチャンネルのオーディオ信号（センターｃｈ）はフロントの２個のスピーカ１６ｆｌ、１６ｆｒに均等に分配し、サブウーファを含む残りの３個のスピーカ１６ｒｌ、１６ｒｒ、１６ｓｗについてはそれぞれ供給態様制御装置１２から出力された各チャンネルの信号をそのまま再生させるのである。従って、フロントＬスピーカ１６ｆｌはフロントＬチャンネルのオーディオ信号（フロントＬｃｈ）と、センターチャンネルのオーディオ信号の２分の１の信号を加えたオーディオ信号を供給態様制御装置１２から受ける。これを表ではフロントＬｃｈ＋１／２センターｃｈと表現した。
フロントＲスピーカ１６ｆｒについても同様にフロントＲｃｈ＋１／２センターｃｈと表現したのである。
そして、残りの３個のスピーカ１６ｒｌ、１６ｒｒ、１６ｓｗについては、それぞれ供給態様制御装置１２から出力された各チャンネルのオーディオ信号をそのまま再生させるようにするのである。
【００２４】
次に、ＴＶチューナについてのべる。この音源の場合も、映像が伴うので、センタースピーカ１６ｃからの音声出力を禁止する。左のチャンネルのオーディオ信号を、左側の前後のスピーカ１６ｆｌ、１６ｒｌに均等に分配する。分配された信号を１／２Ｌｃｈと表現した。右チャンネルのオーディオ信号についても同様に右側の前後のスピーカ１６ｆｒ、１６ｒｒに均等に分配する。この分配された信号を１／２Ｒｃｈと表現した。そして、サブウーファ１６ｓｗに対しては音声出力を禁止する。テレビジョン放送を視聴する場合、ニュース等はアナウンサ等の話す言葉を明確に聞き取ることが重要となる場合が多いことから低音を効かすサブウーファ１６ｓｗからの音声出力は言葉を聞き取りにくくするおそれがあるので禁止するのである。
【００２５】
次に、ＳＡＣＤ５．１ｃｈの場合には、全てのチャンネルにおいてオーディオ信号をそのままそのチャンネルに対応するスピーカ１６に送って音声再生をさせるようにする。というのは、ＳＡＣＤの場合は、映像が伴わないので、映像表示装置８との位置関係を考慮した音声出力の必要がないからである。
最後に、ＣＤ２ｃｈ及びＦＭ／ＡＭチューナの場合にも、映像が伴わないのでセンタースピーカ１６ｃに音声出力を禁止する必要はない。そこで、左チャンネルのオーディオ信号と、右チャンネルのオーディオ信号を、２分の１ずつ加算したものをセンタースピーカ１６ｃに再生させることとするのである。また、残りの５個のスピーカスピーカ１６ｆｌ、１６ｆｒ、１６ｒｌ、１６ｒｒ、１６ｓｗについては、ＴＶチューナの場合と同じにする。
【００２６】
図２に示すような表の内容は、工場出荷前に記憶装置１８に入力しておき（このように工場出荷前に入力された記録内容を初期設定内容ということとする。）、そして、後で、ユーザーが操作部２０の予め設定された方法による操作により表の一部乃至全部について任意に別途記録することができるようにすると良い。このようにユーザーが操作部２０の操作により記録し直した内容を記録設定内容ということとする。
【００２７】
図３は音源の切り換えがあった場合の各スピーカ１６に対するオーディオ信号の供給態様の切換の制御に関する動作のフローを示すものである。
（１）「音源切換？」
先ず、音源の切換があったか否かを判定する。判定結果がＮｏの場合には、Ｙｅｓという判定結果が得られるまでその判定を繰り返す。
【００２８】
（２）「音源認識及び選択指令」
上記ステップ（１）の判定結果がＹｅｓになった場合、即ち、音源の切換があった場合、その切り換わった新しい音源の種類を検出し、それに応じて映像選択装置８及びオーディオ信号選択装置１０へ映像及びオーディオ信号についての選択を指令する。例えば、ＤＶＤの場合には、映像選択装置６へはＤＶＤ映像信号を選択する指令を、ＤＶＤオーディオ信号を選択する指令をする。すると、その指令に応じた映像信号が再生すべき信号として映像表示装置８にて再生されることになる。また、ＤＶＤオーディオ信号が音声再生すべき信号してオーディオ信号選択装置１０から出力されることとなる。
【００２９】
（３）「操作による設定有り？」
次に、その音源に関して、ユーザー（ドライバ）等による入力操作によって設定された、供給態様制御装置１２による制御内容が記録されているか否かを判定する。例えば、音源がＤＶＤの場合には、そのＤＶＤに関してユーザーが制御内容についての設定をプリセットされたものと別途にされているか否かを判定するのである。
（４）「初期設定内容読み出し」
上記ステップ（３）の判定結果がＮｏの場合には、即ち、当該音源に関してユーザーの操作による供給態様の設定がない場合には、工場出荷段階で記憶装置８に入力されていた供給態様を読み出す。
【００３０】
（５）「記録設定内容読み出し」
上記ステップ（３）の判定結果がＹｅｓの場合には、即ち、当該音源に関してユーザーによる供給態様の設定についての記録がある場合には、その内容を読み出す。
（６）「供給態様制御装置へ供給態様変更指示」
上記ステップ（４）又は（５）が終わると、その読み出した供給態様通りに供給態様制御装置１２に指令を与える。すると、供給態様制御装置１２はそれに従って、即ち、上記記憶装置２０に記憶された表、例えば図２に示す表に従ってその音源の種類に対応した供給態様に従って各スピーカ１６へのオーディオ信号を制御する。
【００３１】
従って、音源が切り換わっても各スピーカへのオーディオ出力信号の供給に関する制御に変化が生ぜず、音源の変化に対応出来ないという問題を回避することができる。
【００３２】
図４は本発明車載オーディオビデオ機器のオーディオ出力制御装置の第２の実施例の構成を示す回路ブロック図、図５は本実施例の記憶装置により記憶された各音源の種類毎の各スピーカへのオーディオ信号の供給に関する制御についての表の一例を示すものである。
本実施例の上記第１の実施例との構成上の違いは、センタースピーカ１６ｃとして１６ｃ（１）と、１６ｃ（２）の二つスピーカを有することであり、それ以外には違いがない。
【００３３】
そして、本実施例のオーディオ出力制御装置１４の各スピーカ１６ｃ（１）１６ｃ（２）、１６ｆｌ、１６ｆｒ、１６ｒｌ、１６ｒｒ、１６ｓｗは、自動車内に、例えば図６（Ｂ）に示すように配置される。即ち、第１のセンタースピーカ１４ｃ（１）は助手席とその後の後部座席との間に配置され、第２のセンタースピーカ１４ｃ（２）は運転席と助手席の間の後部に配置されている。
尚、それ以外のスピーカ１６ｆｌ、１６ｆｒ、１６ｒｌ、１６ｒｒ、１６ｓｗは、図１に示した上記実施例の場合と同じように配置されている。
【００３４】
次に、図５に示す表、即ち本実施例における、各音源の種類毎の各スピーカへのオーディオ信号の供給に関する制御について説明する。
先ず、音源がＤＶＤ５．１ｃｈの場合について説明すると、センターチャンネルのオーディオ信号は、第１のスピーカ１６ｃ（１）に送り、第２のスピーカ１６ｃ（２）には送らない。というのは、第１のスピーカ１６ｃ（１）は映像表示装置８の近傍にあり、センターチャンネルのオーディオ信号を音声再生させても音響効果が不自然にはならないのに対して、第１のスピーカ１６ｃ（２）は映像表示装置８から離間しているので、センターチャンネルのオーディオ信号を音声再生させると不自然な音響効果が生じてしまうことになるからである。
【００３５】
そして、残りの５個のスピーカ１６ｆｌ、１６ｆｒ、１６ｒｌ、１６ｒｒ、１６ｓｗには、本来的にそのスピーカ自身と対応するチャンネルのオーディオ信号をそのまま供給するようにする。フロントＬスピーカｆｌには、フロントＬチャンネルのオーディオ信号を、フロントＲスピーカ１６ｆｒには、フロントＲチャンネルのオーディオ信号を、というようにである。
【００３６】
次に、ＴＶチューナについてのべる。この音源の場合も、映像が伴うので、第２のセンタースピーカ１６ｃ（２）からの音声出力を禁止するが、第１のセンタースピーカ１６ｃ（１）からの音声出力を許容する。具体的には、左のチャンネルのオーディオ信号の２分の１と、右のチャンネルのオーディオ信号の２分の１を加算したものを第１のセンタースピーカ１６ｃ（１）から音声出力するようにするのである。
尚、残りのスピーカ１６ｆｌ、１６ｆｒ、１６ｒｌ、１６ｒｒ、１６ｓｗについては、図２に示す表のＴＶチューナのそれと同じである。
【００３７】
次に、ＳＡＣＤ５．１ｃｈの場合には、映像が伴わないので、映像表示装置８との位置関係を考慮した音声出力の必要がない。従って、センターチャンネルのオーディオ信号を２分の１ずつ第１、第２のセンタースピーカ１４ｃ（１）、１４ｃ（２）に分配して供給する。そして、残りの残りの５個のスピーカ１６ｆｌ、１６ｆｒ、１６ｒｌ、１６ｒｒ、１６ｓｗには、本来的にそのスピーカ自身と対応するチャンネルのオーディオ信号をそのまま供給するようにする。フロントＬスピーカｆｌには、フロントＬチャンネルのオーディオ信号を、フロントＲスピーカ１６ｆｒには、フロントＲチャンネルのオーディオ信号を、というようにである。この点では、ＤＶＤの場合と同じである。
【００３８】
最後に、ＣＤ２ｃｈ及びＦＭ／ＡＭチューナの場合にも、映像が伴わないのでセンタースピーカ１６ｃに音声出力を禁止する必要はない。そこで、左チャンネルのオーディオ信号の４分の１と、右チャンネルのオーディオ信号の４分の１を加算したものを第１、第２のセンタースピーカ１６ｃ（１）、（２）それぞれに供給して再生させることとするのである。また、残りの５個のスピーカスピーカ１６ｆｌ、１６ｆｒ、１６ｒｌ、１６ｒｒ、１６ｓｗについては、ＴＶチューナの場合と同じにする。
【００３９】
本実施例の上記以外の事項については、第１の実施例と共通し、既に、説明済みなので重ねて説明はしない。
尚、上記各実施例において、図２、図５に示す表の内容は飽くまで一例であり、これに拘束されることはなく、また、ユーザーが任意に書き換えられることは言うまでもない。
【００４０】
【発明の効果】
請求項１の車載オーディオビデオ機器のオーディオ出力制御装置によれば、予め、記憶手段に、音源の種類と、その種類に対応して上記供給態様制御装置による各スピーカへのオーディオ信号の供給態様について設定しておけば、異なる音源のオーディオ信号が再生される毎に、その音源に対応するものとして上記記憶手段に記憶された供給態様通りに、各スピーカへの各チャンネルのオーディオ信号の供給態様［出力の禁止（どのチャンネルの信号も供給が０という供給態様）、完全許容（スピーカ自身と本来的に対応するチャンネルのオーディオ信号を減衰することなく１００％供給するという供給態様）、特定の一又は複数のチャンネルのオーディオ信号を減衰して又は減衰したものを加算して供給するという供給態様がある。）についての供給態様制御装置への指示の切り換えが為され、その新たな指示が自動的にその供給態様制御装置によって実行される。
依って、音源が切り換わっても各スピーカへのオーディオ信号の供給に関する供給態様に変化が生ぜず、音源の変化に対応出来ないという問題を回避することができる。
【００４１】
請求項２の車載オーディオビデオ機器のオーディオ出力制御装置によれば、音源の各種類に対応する各スピーカへの供給態様が記憶手段に予めプリセットされているので、ユーザーがプリセットしなくても音源の変化に対応して各スピーカへのオーディオ出力信号の供給態様を切り換えることができる。
【００４２】
請求項３の車載オーディオビデオ機器のオーディオ出力制御装置によれば、上記音源の各種類に対する上記各スピーカへのオーディオ信号の供給態様の関係をユーザーの好みに従って変更することができる。
【図面の簡単な説明】
【図１】本発明車載オーディオビデオ機器のオーディオ出力制御装置の第１の実施例の構成を示す回路ブロック図である。
【図２】上記第１の実施例における各音源の種類毎の各スピーカへのオーディオ信号の供給態様を示す表の一例を示すものである。
【図３】音源の切り換えがあった場合の各スピーカに対するオーディオ信号の供給態様の切換の制御に関する動作のフローを示すフローチャートである。
【図４】本発明車載オーディオビデオ機器のオーディオ出力制御装置の第２の実施例の構成を示す回路ブロック図である。
【図５】上記第２の実施例における各音源の種類毎の各スピーカへのオーディオ信号の供給態様を示す表の一例を示すものである。
【図６】（Ａ）、（Ｂ）は５．１チャンネル対応マルチプレーヤシステムの６個或いは７個のスピーカの自動車内への各別の配置例における平面的位置関係を示す平面図である。
【符号の説明】
２・・・映像再生装置、４・・・オーディオ再生装置、６・・・映像再生装置、
８・・・映像表示装置、１０・・・音源選択装置、
１２、１８、２０、２２・・・オーディオ出力制御装置、１２・・・供給態様制御装置、１４・・・オーディオ出力装置、
１６ｃ、１６ｃ（１）、１６ｃ（２）、１６ｆｌ、１６ｆｒ、１６ｒｌ、１６ｒｒ、１６ｓｗ・・・スピーカ、１８・・・・制御部（システム制御装置）、
２０・・・記憶装置（記憶手段）、２２・・・操作部。
【図１】
2004096515.tif 000003
【図２】
2004096515.tif 000004
【図３】
2004096515.tif 000005
【図４】
2004096515.tif 000006
【図５】
2004096515.tif 000007
【図６】
2004096515.tif 000008